(57)【要約】【課題】プランターに収容した土壌の温度上昇を抑制できる緑化装置を提供する。【解決手段】緑化装置１０は、プランター１に植栽したつる植物Ｐを登攀させた緑化柵３を建物の壁面の前面に配置できる。緑化装置１０は、プランター収容箱２、架台４、及び、足場板５を備える。プランター収容箱２は、建物の壁面の前面に配置され、上面を開口した収容室２１に複数のプランター１を収容できる。架台４は、プランター収容箱２の前面に配置され、緑化柵３が建物の壁面と対向配置した状態で、緑化柵３の両端部を支持している。足場板５は、架台４に架設し、プランター１に収容した土壌を日光から遮光した状態で、プランター１の上方を覆っている。緑化装置１０は、プランター１に収容した土壌を日光から遮光でき、プランター１に収容した土壌の温度上昇を抑制できる。【選択図】図５
2018033372.tif 000002
【特許請求の範囲】
【請求項１】
プランターに植栽したつる植物を登攀させた緑化柵を建物の壁面の前面に配置できる緑化装置であって、
建物の壁面の前面に配置され、上面を開口した収容室に一つ以上の前記プランターを収容自在なプランター収容箱と、
前記プランター収容箱の前面に配置され、前記緑化柵が建物の壁面と対向配置した状態で、前記緑化柵の両端部を支持した架台と、
前記架台に架設し、前記プランターに収容した土壌を日光から遮光した状態で、前記プランターの上方を覆う足場板と、を備えている緑化装置。
【請求項２】
前記架台は、前記プランター収容箱の長手方向の両側部に配置された一対のスタンドを備え、
前記緑化柵は、
一列に並列配置し、前記つる植物が登攀自在な複数の登攀棒と、
これらの登攀棒の上部及び下部を連結し、両端部を一対の前記スタンドに着脱自在に固定した一対の連結部材と、を有している、請求項１記載の緑化装置。
【請求項３】
前記プランター収容箱は、
培養液を前記プランターに散水できる散水管と、
前記収容室の底部に貯留した前記培養液を所定の水位に抑制する排水管と、を有している、請求項１又は２記載の緑化装置。
【請求項４】
前記足場板は、建物の壁面と前記緑化柵の間を通行自在な通路幅を確保している、請求項１から３のいずれかに記載の緑化装置。
【発明の詳細な説明】
【技術分野】
【０００１】
本発明は、緑化装置に関する。特に、プランターに植栽したつる植物を登攀させた緑化柵を形成できる緑化装置であって、緑化柵を建物の壁面の前面に配置することで、直射日光から建物を遮蔽すると共に建物の景観を向上できる緑化装置の構造に関する。
【背景技術】
【０００２】
近年では、建物の外壁に植物を植える壁面緑化がヒートアイランド現象の緩和及び省エネルギー化に役立つとして、注目されている。壁面緑化には、登攀式、下垂式、補助材式、又は、ユニット式などの様々な工法が提案又は実施されている。
【０００３】
登攀式壁面緑化工法は、壁面などに付着自在な付着根を有するつる植物を壁面に自立登攀させることで、建物の壁面を緑化できる。登攀式壁面緑化工法は、低コストで緑化できるメリットを有しているが、付着根を有する付着性植物に限定されるという制約がある。
【０００４】
下垂式壁面緑化工法は、屋上又はベランダに設置したプランターから植物を壁面に沿って垂らすことで、建物の壁面を緑化できる。補助材式壁面緑化工法は、ワイヤーなどの補助材を用いて、つる植物を登攀又は下垂させることで、建物の壁面を緑化できる。ユニット式壁面緑化工法は、つる植物を誘引・巻付け自在なユニットを用いて、建物の壁面を緑化できる。
【０００５】
壁面緑化は、市街地に建設される建物に要求される傾向がある。そして、市街地に建設される建物は、その外壁面が隣地境界又は道路境界に接近した位置に配置される傾向がある。このため、垂下式又は補助材式により、外壁面を緑化する工法が一般に採用されている。しかし、このような緑化工法では、植物の種類の制約、給水方法の制約、栄養剤供給方法の制約、植物交換の困難性などの管理上の問題がある。
【０００６】
一方、外壁面が隣地境界又は道路境界に接近した建物は、壁面緑化用の枠体、床板などを外壁面に突設させた場合、維持・管理用の作業床を確保するには、建物の外壁面を敷地内にセットバック（後退）する必要がある。しかし、壁面緑化のために建物の外壁位置を設計変更することは、現実には許容し難く、植物育成の維持・管理のための作業通路を確保することが困難であった。
【０００７】
このため、外壁面が隣地境界又は道路境界に接近した建物の外壁面を緑化すると共に、植物育成の維持・管理のための作業床及び作業用通路を確保できる緑化装置が開示されている（例えば、特許文献１参照）。
【先行技術文献】
【特許文献】
【０００８】
【特許文献１】特開２００７−２４４３３９号公報
【発明の概要】
【発明が解決しようとする課題】
【０００９】
図１２は、従来技術による緑化装置の構成を示す左側面図である。図１３は、従来技術による緑化装置の構成を示す正面図である。図１４は、従来技術による緑化装置の構成を示す平面図である。図１５は、従来技術による緑化装置の構成を示す斜視分解組立図である。
【００１０】
図１６は、従来技術による緑化装置の構成を示す斜視図であり、図１６（Ａ）は、緑化装置に備わるプランターボックスを断面で示した状態図、図１６（Ｂ）は、緑化装置の全体構成図である。なお、本願の図１２から図１６は、特許文献１の図１から図５に相当している。
【００１１】
図１２から図１６を参照すると、従来技術による緑化装置９は、プランターボックス９１、垂直登攀パネル（以下、パネルという）９２、及び作業床９３を備えている。プランターボックス９１には、つる植物Ｐを植栽するための軽量土壌Ｓｆ及び土壌改良材Ｓｐを布袋Ｃｂを介して、収容している（図１５又は図１６（Ａ）参照）。
【００１２】
図１２から図１６を参照すると、プランターボックス９１は、複数の鋼材を互いに溶接した直方体状の立体枠を備えている。プランターボックス９１は、上面を除き、この立体枠の開口を排水自在なパンチングメタル９１ｍで覆っている。又、プランターボックス９１は、給水管９１ｐを内部に配置している（図１６（Ａ）参照）。
【００１３】
図１２又は図１４を参照すると、パネル９２は、建物の壁面Ｗｅと対向配置している。パネル９２には、プランターボックス９１からつる植物Ｐを登攀できる（図１６（Ｂ）参照）。パネル９２は、プランターボックス９１の側面に固定した一対の上ブラケット９１ａ・９１ａ及び一対の下ブラケット９２ａ・９２ａにより下部が支持されている。
【００１４】
図１３又は図１４及び図１６（Ｂ）を参照すると、パネル９２は、長方形の枠体９２ｆと複数の線材９２ｗで構成している。複数の線材９２ｗは、枠体９２ｆの内部に縦横に配置されている。
【００１５】
図１２から図１６を参照すると、作業床９３は、プランターボックス９１の上部に配置されている。作業床９３は、プランターボックス９１の上部に固定された一対の横架材９１ｃ・９１ｃにより、両端部が支持されている。
【００１６】
図１２又は図１４を参照すると、作業床９３は、プランターボックス９１の一部を覆っている。そして、プランターボックス９１と作業床９３との間の開口部９１ｋからパネル９２に向かって、つる植物Ｐを誘導できる（図１６（Ｂ）参照）。
【００１７】
図１２又は図１４を参照すると、作業床９３は、鋼製の方形枠９３１とエキスパンドメタル９３２で構成している。エキスパンドメタル９３２は、その周囲が方形枠９３１に溶接で接合されている。
【００１８】
図１２を参照すると、緑化装置９は、Ｈ形鋼からなる第１の支持部材９４にプランターボックス９１が支持されている。又、緑化装置９は、Ｈ形鋼からなる第２の支持部材９５にパネル９２の上部が固定されている。なお、第１の支持部材９４及び第２の支持部材９５は、壁面Ｗｅと略平行に配置されている。これにより、複数の緑化装置９を壁面Ｗｅと略平行に連設できる。
【００１９】
図１２から図１６を参照すると、従来技術による緑化装置９は、パネル９２と作業床９３との間に開口部９１ｋを形成しているので、植物の管理者は、開口部９１ｋを介して、プランターボックス９１の土壌及び植物を点検でき、プランターボックス９１の内部を管理できる、としている。プランターボックス９１の管理とは、清掃、植物・土壌への肥料・薬剤の供給を含み、植物の交換、植栽又は除去を含んでいる。
【００２０】
図１２から図１６を参照すると、従来技術による緑化装置９は、植物の管理者が作業床９３に搭乗できる。そして、従来技術による緑化装置９は、植物の管理者が作業床９３に搭乗した状態で、開口部９１ｋを介して、プランターボックス９１を点検又は管理でき、又は、パネル９２に登攀したつる植物Ｐを点検又は管理できる、としている。
【００２１】
建物の庭にプランターを設置し、このプランターに植栽したつる植物を登攀させた緑のカーテンを建物の壁面の前面に配置する、いわゆる壁前植栽と呼ばれる壁面緑化が知られている。壁前植栽式の壁面緑化は、プランターの設置が容易であり、直射日光から建物を遮蔽すると共に、自然植物により建物の景観を向上できる。
【００２２】
一般に、壁前植栽は、プランターに植栽した植物の生育を楽しむ傾向が強いので、プランターの上部を蓋体で覆う事例が少ない。しかし、プランターの上部を蓋体で覆うことで、プランターに収容した土壌に雑草又は雑菌が混入することを抑制できる。又、プランターの上部を蓋体で覆うことで、直射日光から土壌を遮蔽でき、土壌の温度上昇を抑制できる。
【００２３】
文献１による緑化装置は、プランターの上部を作業床で覆っているが、作業床は、網目板などの通気・通水性面材で構成することが好ましいとされ、プランターに収容した土壌を直射日光から遮光することが、困難であり、土壌の温度上昇を抑制することが困難である、という問題がある。
【００２４】
プランターに植栽したつる植物を登攀させた緑のカーテンとなる緑化柵を建物の壁面の前面に配置できる緑化装置であって、プランターに収容した土壌を直射日光から遮光することが容易な緑化装置が求められている。そして以上のことが本発明の課題といってよい。
【００２５】
本発明は、このような課題に鑑みてなされたものであり、プランターに植栽したつる植物を登攀させた緑化柵を建物の壁面の前面に配置できる緑化装置であって、プランターに収容した土壌を直射日光から遮光することが容易な緑化装置を提供することを目的とする。
【課題を解決するための手段】
【００２６】
本発明者らは、建物の壁面の前面に配置したプランター収容箱と、プランター収容箱の前面に配置され、建物の壁面と対向配置された緑化柵を支持した架台で緑化装置を構成し、架台には、作業員が搭乗及び通行できると共に、プランターの上部を遮光できるようにプランター収容箱の上部を覆う足場板を設置することで、プランターに収容した土壌を日光から遮光できることを見出し、これに基づいて、以下のような新たな緑化装置を発明するに至った。
【００２７】
（１）本発明による緑化装置は、プランターに植栽したつる植物を登攀させた緑化柵を建物の壁面の前面に配置できる緑化装置であって、建物の壁面の前面に配置され、上面を開口した収容室に一つ以上の前記プランターを収容自在なプランター収容箱と、前記プランター収容箱の前面に配置され、前記緑化柵が建物の壁面と対向配置した状態で、前記緑化柵の両端部を支持した架台と、前記架台に架設し、前記プランターに収容した土壌を日光から遮光した状態で、前記プランターの上方を覆う足場板と、を備えている。
【００２８】
（２）前記架台は、前記プランター収容箱の長手方向の両側部に配置された一対のスタンドを備え、前記緑化柵は、一列に並列配置し、前記つる植物が登攀自在な複数の登攀棒と、これらの登攀棒の上部及び下部を連結し、両端部を一対の前記スタンドに着脱自在に固定した一対の連結部材と、を有していることが好ましい。
【００２９】
（３）前記プランター収容箱は、培養液を前記プランターに散水できる散水管と、前記収容室の底部に貯留した前記培養液を所定の水位に抑制する排水管と、を有していることが好ましい。
【００３０】
（４）前記足場板は、建物の壁面と前記緑化柵の間を通行自在な通路幅を確保していることが好ましい。
【発明の効果】
【００３１】
本発明による緑化装置は、建物の壁面の前面に配置したプランター収容箱と、プランター収容箱の前面に配置され、建物の壁面と対向配置された緑化柵を支持した架台と、を備え、架台には、プランターの上部を遮光できるようにプランター収容箱の上部を覆う足場板を設置することで、プランターに収容した土壌を日光から遮光でき、プランターに収容した土壌の温度上昇を抑制できる。
【図面の簡単な説明】
【００３２】
【図１】本発明の一実施形態による緑化装置の構成を示す斜視図であり、つる植物を登攀させた緑化柵を建物の壁面の前面に配置した状態図である。
【図２】前記実施形態による緑化装置の構成を示す斜視図であり、緑化装置を建物の壁面の前面に配置した状態図である。
【図３】前記実施形態による緑化装置の構成を示す正面図である。
【図４】前記実施形態による緑化装置の構成を示す平面図である。
【図５】前記実施形態による緑化装置の構成を示す斜視分解組立図である。
【図６】前記実施形態による緑化装置の構成を示す図であり、図６（Ａ）は、緑化装置の左側面図、図６（Ｂ）は、緑化装置の部分断面図である。
【図７】前記実施形態による緑化装置の構成を示す正面図である。
【図８】前記実施形態による緑化装置に備わる架台の構成を示す斜視図である。
【図９】前記実施形態による緑化装置に備わるプランター収容箱の構成を示す斜視図である。
【図１０】前記実施形態による緑化装置に備わるプランター収容箱の構成を示す縦断面である。
【図１１】前記実施形態による緑化装置の構成を示す正面図であり、緑化装置に備わるプランター収容箱を断面図で示している。
【図１２】従来技術による緑化装置の構成を示す左側面図である。
【図１３】従来技術による緑化装置の構成を示す正面図である。
【図１４】従来技術による緑化装置の構成を示す平面図である。
【図１５】従来技術による緑化装置の構成を示す斜視分解組立図である。
【図１６】従来技術による緑化装置の構成を示す斜視図であり、図１６（Ａ）は、緑化装置に備わるプランターボックスを断面で示した状態図、図１６（Ｂ）は、緑化装置の全体構成図である。
【発明を実施するための形態】
【００３３】
以下、図面を参照して本発明を実施するための形態を説明する。
［緑化装置の構成］
最初に、本発明の一実施形態による緑化装置の構成を説明する。
【００３４】
図１は、本発明の一実施形態による緑化装置の構成を示す斜視図であり、つる植物を登攀させた緑化柵を建物の壁面の前面に配置した状態図である。図２は、前記実施形態による緑化装置の構成を示す斜視図であり、緑化装置を建物の壁面の前面に配置した状態図である。
【００３５】
図３は、前記実施形態による緑化装置の構成を示す正面図である。図４は、前記実施形態による緑化装置の構成を示す平面図である。図５は、前記実施形態による緑化装置の構成を示す斜視分解組立図である。
【００３６】
図６は、前記実施形態による緑化装置の構成を示す図であり、図６（Ａ）は、緑化装置の左側面図、図６（Ｂ）は、緑化装置の部分断面図である。図７は、前記実施形態による緑化装置の構成を示す正面図である。
【００３７】
（全体構成）
次に、本発明の一実施形態による緑化装置の全体構成を説明する。図１から図４を参照すると、本発明の一実施形態による緑化システム１００は、第１の壁面１Ｗｅに対向配置した第１の緑化装置１０・１０群と、第１の壁面１Ｗｅに直交した状態で隣接配置された第２の壁面２Ｗｅに対向配置した第２の緑化装置２０で構成している。
【００３８】
図１から図４に示した緑化装置の施工例では、第１の緑化装置１０・１０群と第２の緑化装置２０を直交した状態で配置している。又、第１の緑化装置１０・１０群の端部と第２の緑化装置２０の端部を近接配置している。
【００３９】
図１から図７を参照すると、第１の緑化装置１０は、プランター収容箱２と緑化柵３を備えている。又、第１の緑化装置１０は、架台４と足場板５を備えている。第２の緑化装置２０は、プランター収容箱６と緑化柵７を備えている。又、第２の緑化装置２０は、架台４と足場板５を備えている。
【００４０】
図１から図４を参照すると、第１の緑化装置１０と第２の緑化装置２０は、同様に構成しているので、第１の緑化装置１０を代表して、緑化装置の構成を以下説明する。又、必要に応じて、第２の緑化装置２０の構成を説明する。
【００４１】
図１から図７を参照すると、プランター収容箱２は、第１の壁面１Ｗｅの前面に配置されている。プランター収容箱２は、上面を開口した収容室２１ｒに三つのプランター１を収容している（図４又は図６（Ｂ）参照）。図１から図４に示した実施形態では、一組のプランター収容箱２・２を長手方向に連設している。
【００４２】
図１から図７を参照すると、プランター収容箱６は、第２の壁面２Ｗｅの前面に配置されている。プランター収容箱６は、上面を開口した収容室６１ｒに二つのプランター１を収容している（図４又は図７参照）。図１から図４に示した実施形態では、第２の壁面２Ｗｅの前面に、プランター収容箱６を単体で設置している。
【００４３】
図４から図７を参照すると、緑化柵３には、プランター１に植栽したつる植物Ｐを登攀できる（図１参照）。図１から図７を参照すると、一方の架台４は、プランター収容箱２の前面に配置されている。そして、一方の架台４は、緑化柵３が建物の第１の壁面１Ｗｅと対向配置した状態で、緑化柵３の両端部を支持している（図６又は図７参照）。プランター１は、市販品を使用することもできる。
【００４４】
図１から図７を参照すると、他方の架台４は、プランター収容箱６の前面に配置されている。そして、他方の架台４は、緑化柵７が建物の第２の壁面Ｗ２ｅと対向配置した状態で、緑化柵７の両端部を支持している（図４参照）。
【００４５】
図１から図７を参照すると、足場板５は、一方の架台４に架設している。又、足場板５は、他方の架台４にも架設している。これらの足場板５は、プランター１に収容した土壌を日光から遮光した状態で、プランター１の上方を覆っている。
【００４６】
図１から図７を参照すると、実施形態による第１の緑化装置１０は、建物の第１の壁面１Ｗｅの前面に配置したプランター収容箱２と、プランター収容箱２の前面に配置され、建物の第１の壁面１Ｗｅと対向配置された緑化柵３を支持した架台４と、を備え、架台４には、プランター１の上部を遮光できるようにプランター収容箱２の上部を覆う足場板５を設置することで、プランター１に収容した土壌を日光から遮光でき、プランター１に収容した土壌の温度上昇を抑制できる。
【００４７】
図１から図７を参照すると、実施形態による第２の緑化装置２０は、建物の第２の壁面２Ｗｅの前面に配置したプランター収容箱６と、プランター収容箱６の前面に配置され、建物の第２の壁面２Ｗｅと対向配置された緑化柵７を支持した架台４と、を備え、架台４には、プランター１の上部を遮光できるようにプランター収容箱６の上部を覆う足場板５を設置することで、プランター１に収容した土壌を日光から遮光でき、プランター１に収容した土壌の温度上昇を抑制できる。
【００４８】
引き続き、本発明の一実施形態による緑化装置の構成を説明する。図８は、前記実施形態による緑化装置に備わる架台の構成を示す斜視図である。図９は、前記実施形態による緑化装置に備わるプランター収容箱の構成を示す斜視図である。
【００４９】
図１０は、前記実施形態による緑化装置に備わるプランター収容箱の構成を示す縦断面である。図１１は、前記実施形態による緑化装置の構成を示す正面図であり、緑化装置に備わるプランター収容箱を断面図で示している。
【００５０】
（プランター収容箱の構成）
次に、実施形態によるプランター収容箱２の構成を説明する。図９から図１１を参照して、プランター収容箱２は、合成樹脂からなることが好ましく、合成樹脂を成形して、内部に一つ以上のプランター１を収容自在な直方体状のプランター収容箱２を得ることができる。
【００５１】
図９又は図１０を参照すると、プランター収容箱２は、上面から窪んだ段部２１ｄを有している。一方、プランター１は、外側に張り出した鍔部１ｆを上部に形成している（図１０参照）。一対の鍔部１ｆ・１ｆを段部２１ｄに設置することで、プランター１の底面が収容室２１ｒの底面から所定の距離を設けて、プランター１をプランター収容箱２に配置できる。
【００５２】
図９を参照すると、プランター収容箱２は、段部２１ｄに連通した複数の逃げ部２１ｅを有している。対向する一対の逃げ部２１ｅ・２１ｅに指を挿入でき、一対の鍔部１ｆ・１ｆを把持することで、プランター収容箱２からプランター１を取り出すことができる。
【００５３】
図９又は図１１を参照すると、プランター収容箱２は、二つの仕切り板２２を備えている。仕切り板２２は、一対のアリガタのレール２２ｒ・２２ｒを両側部に形成している（図９参照）。一方、プランター収容箱２は、一対のレール２２ｒ・２２ｒを案内する一対のアリ溝２２ｓ・２２ｓを内壁に形成している（図９参照）。
【００５４】
図９又は図１１を参照して、二つの仕切り板２２をプランター収容箱２の内部に設置することで、プランター１の鍔部１ｆを仕切り板２２の上面に載置できる。プランター収容箱２に対して、プランター１の長手方向の移動を規制できる（図１１参照）。
【００５５】
図５又は図９から図１１を参照すると、プランター収容箱２は、散水管２１ｐと排水管２２ｐを有している。散水管２１ｐには、培養液が供給され、この培養液をプランター１に散水できる（図９参照）。排水管２２ｐは、収容室２１ｒの底部に貯留した培養液を所定の水位に抑制できる（図１１参照）。
【００５６】
図１１を参照すると、一方のプランター収容箱２と他方のプランター収容箱２は、それらの底部が連結菅２３ｐで接続されている。これにより、一方のプランター収容箱２に滞留した培養液の水位と他方のプランター収容箱２に滞留した培養液の水位を平準化できる。又、他方のプランター収容箱２とプランター収容箱６は、それらの底部が連結菅２４ｐで接続されている。これにより、他方のプランター収容箱２に滞留した培養液の水位とプランター収容箱６に滞留した培養液の水位を平準化できる。
【００５７】
（緑化柵の構成）
次に、実施形態による緑化柵３及び緑化柵７の構成を説明する。図５から図７を参照すると、緑化柵３は、複数の登攀棒３ａと一対の連結部材３ｂ・３ｂで構成している。複数の登攀棒３ａは、一列に並列配置している。実施の形態では、一部の登攀棒３ａは、後述するスタンド４ｓの外方を囲っている。登攀棒３ａは、丸棒からなることが好ましく、プランター１に植栽したつる植物Ｐを登攀させることができる（図１参照）。
【００５８】
図５から図７を参照すると、連結部材３ｂは、Ｌ字状のチャンネル部材からなることが好ましく、その一片を溶接などの接合手段で、複数の登攀棒３ａに連結している。一方の連結部材３ｂは、複数の登攀棒３ａの上部を連結している。他方の連結部材３ｂは、複数の登攀棒３ａの下部を連結している。又、連結部材３ｂは、その他片の両端部を一対のスタンド４１・４１（後述する）に着脱自在に固定している。
【００５９】
図２から図４を参照すると、緑化柵７は、複数の登攀棒７ａと一対の連結部材７ｂ・７ｂで構成している。複数の登攀棒７ａは、一列に並列配置している。実施の形態では、一部の登攀棒７ａは、後述するスタンド４ｓの外方を囲っている。登攀棒７ａは、丸棒からなることが好ましく、プランター１に植栽したつる植物Ｐを登攀させることができる（図１参照）。
【００６０】
図２から図４を参照すると、連結部材７ｂは、Ｌ字状のチャンネル部材からなることが好ましく、その一片を溶接などの接合手段で、複数の登攀棒７ａに連結している。一方の連結部材７ｂは、複数の登攀棒７ａの上部を連結している。他方の連結部材７ｂは、複数の登攀棒７ａの下部を連結している。又、連結部材７ｂは、その他片の両端部を一対のスタンド４１・４１（後述する）に着脱自在に固定している。なお、登攀棒３ａと登攀棒７ａは、同じものであるが説明の便宜上、符号を変えて区別した。
【００６１】
（架台の構成）
次に、実施形態による架台４の構成を説明する。図１から図８を参照すると、第１の緑化装置１０・１０群は、三つのスタンド４１で架台４を構成している。第２の緑化装置２０は、一対のスタンド４１・４１で架台４を構成している。
【００６２】
図５から図８を参照すると、スタンド４１は、Ｃ形チャンネル部材からなり、アングル部材４１ａを上部に固定している。又、スタンド４１は、アングル部材４１ａを下部に固定している。一対のアングル部材４１ａ・４１ａには、連結部材３ｂの両端部を着脱自在に固定できる。又、一対のアングル部材４１ａ・４１ａには、連結部材７ｂの両端部を着脱自在に固定できる。
【００６３】
図５から図８を参照すると、スタンド４１は、支持脚４２を底部に備えている。スタンド４１は、その末端部を支持脚４２に溶接などで接合している。又、スタンド４１の下部と支持脚４２は、斜材４２ａで補強されている。斜材４２ａの両端部は、スタンド４１の下部又は支持脚４２に溶接などで接合しておくことが好ましい。
【００６４】
図５から図８を参照すると、支持脚４２には、コンクリート製の平板４３を取り付けている。これにより、架台４の転倒を抑制できる。又、スタンド４１は、腕金４１ｂを更に備えている。腕金４１ｂは、その一端部をスタンド４１の上部に固定している。又、腕金４１ｂは、その他端部を第１の壁面１Ｗｅ又は第２の壁面２Ｗｅに固定している。これにより、架台４の転倒を抑制できる。
【００６５】
図５から図８を参照すると、スタンド４１は、直角三角形状のブラケット枠４４を下部に固定している。一対のブラケット枠４４・４４には、足場板５の両端部を架設できる。スタンド４１は、足場板５を片持ち状に支持できる。図示した架台４は、狭小地で使用される一側足場ということもできる。
【００６６】
（足場板の構成）
次に、実施形態による足場板５の構成を説明する。図５から図８を参照すると、足場板５は、足場板本体５１とＬ形チャンネル状の一対の規制部材５２・５２を備えている。足場板本体５１は、建物の第１の壁面１Ｗｅと緑化柵３の間を通行自在な通路幅を確保している。又、足場板本体５１は、建物の第２の壁面２Ｗｅと緑化柵７の間を通行自在な通路幅を確保している。
【００６７】
図６（Ｂ）を参照して、作業員Ｍは、足場板本体５１に搭乗して、建物の第１の壁面１Ｗｅと対面できる。又、作業員Ｍは、足場板本体５１に搭乗して、緑化柵３と対面できる。そして、作業員Ｍは、緑化柵３に登攀したつる植物Ｐを点検又は管理できる。又、作業員Ｍは、足場板本体５１に搭乗して、緑化柵７に登攀したつる植物Ｐを点検又は管理できる（図７参照）。
【００６８】
図５から図８を参照すると、足場板本体５１は、プランター１に収容した土壌を日光から遮光するために、水抜き穴程度の開口を有した物を使用することが好ましい。足場板本体５１は、市販品を使用できる。
【００６９】
図５から図８を参照すると、一対の規制部材５２・５２は、所定の距離を設けて対向配置されている。一対の規制部材５２・５２は、それらの両端部がブラケット枠４４に固定さえている。一対の規制部材５２・５２の間に、足場板本体５１を導入でき、一対の規制部材５２・５２は、足場板本体５１の幅方向の移動を規制している。
【００７０】
［緑化装置の作用］
次に、実施形態による第１の緑化装置１０及び第２の緑化装置２０の作用及び効果を説明する。図１から図７を参照すると、実施形態による第１の緑化装置１０は、建物の第１の壁面１Ｗｅの前面に配置したプランター収容箱２と、プランター収容箱２の前面に配置され、建物の第１の壁面１Ｗｅと対向配置された緑化柵３を支持した架台４と、を備え、架台４には、プランター１の上部を遮光できるようにプランター収容箱２の上部を覆う足場板５を設置することで、プランター１に収容した土壌を日光から遮光でき、プランター１に収容した土壌の温度上昇を抑制できる。
【００７１】
図１から図７を参照すると、実施形態による第２の緑化装置２０は、建物の第２の壁面２Ｗｅの前面に配置したプランター収容箱６と、プランター収容箱６の前面に配置され、建物の第２の壁面２Ｗｅと対向配置された緑化柵７を支持した架台４と、を備え、架台４には、プランター１の上部を遮光できるようにプランター収容箱６の上部を覆う足場板５を設置することで、プランター１に収容した土壌を日光から遮光でき、プランター１に収容した土壌の温度上昇を抑制できる。
【００７２】
図１を参照すると、第１の緑化装置１０は、つる植物Ｐを登攀させた緑化柵３を建物の第１の壁面１Ｗｅの前面に配置することで、建物の景観を向上できる。又、第２の緑化装置２０は、つる植物Ｐを登攀させた緑化柵７を建物の第２の壁面２Ｗｅの前面に配置することで、建物の景観を向上できる。
【００７３】
図５から図１１を参照すると、プランター収容箱２は、培養液をプランター１に散水できる散水管２１ｐを備えているので、施肥作業が容易である。又、プランター収容箱２は、収容室２１の底部に貯留した培養液を所定の水位に抑制する排水管２２ｐを備えているので、排水が容易である。
【００７４】
図６（Ｂ）を参照すると、作業員Ｍは、足場板本体５１に搭乗して、緑化柵３に登攀したつる植物Ｐを点検又は管理できる。又、作業員Ｍは、足場板本体５１に搭乗して、緑化柵７に登攀したつる植物Ｐを点検又は管理できる（図７参照）。
【００７５】
本発明による緑化装置は、次のような効果が期待できる。
（１）プランターに収容した土壌を日光から遮光でき、プランターに収容した土壌の温度上昇を抑制できる。
（２）つる植物を登攀させた緑化柵を建物の壁面の前面に配置することで、建物の景観を向上できる。
（３）施肥作業及び排水が容易である。
（４）足場板に搭乗して、緑化柵に登攀したつる植物を点検又は管理できる。
【００７６】
本発明は、建物の前庭に設置することが好適な緑化装置を開示したが、本発明による緑化装置は、ベランダなどに設置することもできる。
【符号の説明】
【００７７】
１  プランター
１Ｗｅ  第１の壁面（建物の壁面）
２  プランター収容箱
３  緑化柵
４  架台
５  足場板
１０  緑化装置
２１  収容室
Ｐ  つる植物
【図１】
2018033372.tif 000003
【図２】
2018033372.tif 000004
【図３】
2018033372.tif 000005
【図４】
2018033372.tif 000006
【図５】
2018033372.tif 000007
【図６】
2018033372.tif 000008
【図７】
2018033372.tif 000009
【図８】
2018033372.tif 000010
【図９】
2018033372.tif 000011
【図１０】
2018033372.tif 000012
【図１１】
2018033372.tif 000013
【図１２】
2018033372.tif 000014
【図１３】
2018033372.tif 000015
【図１４】
2018033372.tif 000016
【図１５】
2018033372.tif 000017
【図１６】
2018033372.tif 000018